(57)【要約】      （修正有）【課題】スカリと称する魚入れに関し、水流による捩れがなく、また、水面からの引き上げがスムーズで耐久性に優れた魚入れを提供する。【解決手段】  網状体で形成された魚の収納部と、合成樹脂で形成されて上記収納部の上部に取り付くハンドル４７と、上記ハンドル４７に取り付く吊下げ用のロープ６７とからなり、当該ロープ６７は、ハンドル４７に回動部材６５を介して回動可能に取り付いている。【選択図】図３
2007195448.tif 000002
【特許請求の範囲】
【請求項１】
網状体で形成された魚の収納部と、
合成樹脂で形成されて上記収納部の上部に取り付くハンドルと、
上記ハンドルに取り付く吊下げ用のロープとからなり、
上記ロープは、ハンドルに回動可能に取り付いていることを特徴とする魚入れ。
【請求項２】
前記ロープは、回動部材を介してハンドルに取り付き、当該回動部材は、ハンドルに設けた取付孔内に配置されていることを特徴とする請求項１に記載の魚入れ。
【請求項３】
前記ハンドルは、収納部の開口の外周方向に突出しない大きさに形成されていることを特徴とする請求項１または請求項２に記載の魚入れ。
【請求項４】
前記ロープに、回動部材との接続部を覆うカバー体が取り付けられていることを特徴とする請求項２に記載の魚入れ。
【発明の詳細な説明】
【技術分野】
【０００１】
本発明は、魚を入れて生かしておくための魚入れに係り、詳しくは防波堤や岩場等の足場の高い釣場で魚釣りをする際に用いる魚入れ（スカリ）に関する。
【背景技術】
【０００２】
従来周知のように、防波堤や岩場等の足場の高い釣場で魚釣りを行う際に、「スカリ」と称される魚入れが使用されている。
スカリは、釣り上げた魚を生かしておくために使用したり、エサの活きアジやアオリイカを生かしておくために使用したり、また、オキアミの解凍に用いる等、幅広い用途に使用されている。
【０００３】
そして、今日、広く使用されているスカリの多くは、口が網によって巾着型に形成され、これを防波堤等の足場の高い釣場からロープで吊り下げて海面に浮かせておくタイプが一般的である。
しかし、海面に浮かせたスカリに潮の流れが作用すると、スカリが回転して巾着型の口が捩れてしまい、釣り上げた魚を入れるためにスカリを引き上げた際に、口の捩れを戻さなければならない煩わしさがあり、魚入れに手間がかかってしまう不具合があった。
【０００４】
更に、スカリを引き上げる際に、網で形成された巾着型の口が防波堤についた貝や岩場の岩等に引っ掛かり易く、足場の高い釣場へスカリをスムーズに引き上げることが難しいといった不具合も指摘されている。
一方、特許文献１には、図４及び図５に示すように渓流釣りや池等、足場の低い釣場で使用する魚篭（びく）１の網部（筒部）３の捩れを防止するため、口部を開かせる口輪５に取り付ける紐７，９の口輪５に近い部分に撚り戻し１１を設けた構造が開示されている。
【０００５】
而して、この魚篭１によれば、魚入れ部１３が水流の影響を受けて回っても、これに応じ撚り戻し１１が回って網部３が捩れることがないため、魚篭１の口部は常に開放した状態となる。
【特許文献１】実開昭６１−１０８１８５号公報
【発明の開示】
【発明が解決しようとする課題】
【０００６】
しかし乍ら、図４の魚篭１は撚り戻し１１が外部に露出した構造上、斯かる構造をスカリにそのまま適用すると、スカリを引き上げる際に撚り戻しが防波堤についた貝や岩に引っ掛かったり岩と岩の隙間に挟まってスカリの引き上げに支障を来し、また、岩と岩の隙間に挟まった撚り戻しを外すために強く引っ張ると、撚り戻しが損傷してしまう虞があった。
【０００７】
更に、図４の魚篭１は口輪５と撚り戻し１１を紐７で連結しているが、斯かる構造をスカリに適用した場合、同様に紐が防波堤についた貝や岩に引っ掛かって切れてしまったり、魚の入っているスカリの重みで紐が切れてしまう虞があった。
本発明は斯かる実情に鑑み案出されたもので、水流による捩れがなく、また、水面からの引き上げがスムーズで耐久性に優れたスカリと称する魚入れを提供することを目的とする。
【課題を解決するための手段】
【０００８】
斯かる目的を達成するため、請求項１に係る魚入れは、網状体で形成された魚の収納部と、合成樹脂で形成されて上記収納部の上部に取り付くハンドルと、上記ハンドルに取り付く吊下げ用のロープとからなり、当該ロープは、ハンドルに回動可能に取り付いていることを特徴とする。
そして、請求項２に係る発明は、請求項１に記載の魚入れに於て、前記ロープは回動部材を介してハンドルに取り付き、当該回動部材はハンドルに設けた取付孔内に配置されていることを特徴とする。
【０００９】
また、請求項３に係る発明は、請求項１または請求項２に記載の魚入れに於て、前記ハンドルは、収納部の開口の外周方向に突出しない大きさに形成されていることを特徴とし、請求項４に係る発明は、請求項２に記載の魚入れに於て、前記ロープに、回動部材との接続部を覆うカバー体が取り付けられていることを特徴とする。
【発明の効果】
【００１０】
請求項１乃至請求項４に係る発明によれば、水面に浮かせた魚入れに潮の流れが作用して収納部が回っても、ロープがハンドルに回動可能に取り付いているため、ロープや収納部の捩れが防止できる。
そして、 ロープを手繰り寄せて魚入れを水中から引き上げる場合、従来の紐に比べハンドルは防波堤についた貝や岩場の岩等に引っ掛かり難く、足場の高い釣場へスムーズに引き上げることができるし、ハンドルは合成樹脂で形成されているため、従来の紐に比し剛性を有し、この結果、水分が付着し、また、魚の入っている収納部の重みでハンドル自体が損傷することもない。
【００１１】
また、請求項２に係る発明によれば、回動部材がハンドルに設けた取付孔内に収容配置されているため、回動部材が岩に引っ掛かったり岩と岩の隙間に挟まって引き上げに支障を来すこともなく、更に請求項３に係る発明によれば、ハンドルが収納部の外周方向に突出しない大きさとされているため、魚入れを引き上げる際に、ハンドルが岩等により引っ掛かり難いといった利点を有する。
【００１２】
そして、請求項４に係る発明によれば、カバー体が、魚入れの引き上げ時に岩等と接触し易いハンドル近傍のロープを保護するため、ロープの損傷が防止できる利点を有する。
【発明を実施するための最良の形態】
【００１３】
以下、本発明の実施形態を図面に基づいて詳細に説明する。
図１乃至図３は請求項１乃至請求項４に係る魚入れ（スカリ）の一実施形態を示し、図１に於て、２１は網状体２３で形成された魚の収納部で、当該収納部２１は側部（周壁）２５と底部２７を有する円筒状に形成されて上部に開口部を有し、収納部２１を水中に沈めることで、内部に収納した魚を生かしておくことができるようになっている。
【００１４】
而して、網状体２３は、心材を斜め方向へ網状に交差させてその表面を合成樹脂でコーティングしたもので、網状体２３自体は柔軟性を有し乍らも、上記収納部２１を円筒状に形成することで収納部２１全体の形状を保持する強度を有しており、本実施形態に係る魚入れ２９を釣場等に置いた際に、網状体２３は魚入れ２９（収納部２１）の形状を保持するようになっている。
【００１５】
尚、斯かる網状体２３に代え、図４の魚篭１の網部３等に使用される周知の柔らかな網材を用いて、収納部２１をコンパクトに変形可能としてもよい。
そして、収納部２１の上部開口部の内側周縁部に沿って短冊状の合成樹脂シート３１の一側縁が高周波溶着等で接合されており、合成樹脂シート３１は、収納部２１の開口部に沿って配置された樹脂製の平面視円形状のフレーム３３を挟んで外側へ折り返されている。そして、斯様に外側へ折り返された合成樹脂シート３１の折返し片３５が、収納部２１の開口部の外側周縁部に高周波溶着等で接合されており、合成樹脂シート３１とフレーム３３によって収納部２１上部の形状保持が図られている。
【００１６】
尚、本実施形態は平面視円形状のフレーム３３を用いて収納部２１を円筒状に形成したが、例えば平面視矩形状のフレームを用いて収納部をボックス状に形成してもよい。
そして、図２に示すように収納部２１の上部に取り付く合成樹脂シート３１の内側に、当該収納部２１の上部開口部を覆う円形状の合成樹脂シートからなる蓋体３７が高周波溶着等で接合されている。
【００１７】
而して、蓋体３７は、前記フレーム３３に沿って縫着されたチャック３９によって開閉可能な平面視円形状の蓋本体４１を有し、当該蓋本体４１はシート材からなる短寸のヒンジ部材４３を介して前記合成樹脂シート３１に連結されている。そして、チャック３９の操作具４５をヒンジ部材４３まで移動すると、蓋本体４１が全開して収納部２１の上部が大きく開放されるようになっている。
【００１８】
また、図示しないが蓋本体４１は上下２枚の合成樹脂シートで形成され、２枚の合成樹脂シート間に魚入れ２９に浮力を付与する発泡材が収容されており、魚入れ２９を水中に投じたとき、魚入れ２９は蓋本体４１を水面位置にして水に浮き、下方の収納部２１が水中に没するようになっている。
そして、上記蓋本体４１上に、合成樹脂で形成されたコ字状のハンドル４７が一対のハンドル支持部４９を介して取り付けられている。
【００１９】
ハンドル支持部４９は、自ら形状を維持する硬さをもって樹脂材で形成された正面視逆Ｕ字状の支持具で、一対のハンドル支持部４９は、蓋本体４１上に所定間隔を空けてシール状の止着体５１で固着されており、その固着方向は蓋本体４１の全開方向（図２中、矢印Ａ方向）とされている。
一方、ハンドル４７は、例えばエチレン酢酸ビニル等の合成樹脂で形成され、ハンドル４７を上方に起立させた時に蓋本体４１の径方向に向かう握持部５３と、当該握持部５３の両端から下方に向かう一対の杆部５５とで正面視コ字状に形成されており、ハンドル４７は、蓋体の径よりも小さく形成されて、収納部２１の外周方向に突出しない大きさとされている。そして、ハンドル４７は合成樹脂を金型で形成して一体に形成され、上方に起立させた際に形状を維持する硬さをもって形成されている。
【００２０】
また、図１に示すように杆部５５の下端部には、前記ハンドル支持部４９に回動自在に挿通する断面円形状の回動軸部５７が形成された連結部５９が設けられており、斯かる構造によって、ハンドル４７が図２の矢印Ａ，Ｂ方向へ倒伏及び起立可能となっている。
そして、図１乃至図３に示すように、握持部５３の中央には、他の部位に比し厚肉な断面略矩形状のグリップ部６１が一体形成され、当該グリップ部６１に、ハンドル４７を上方に起立させた際に上下方向に開口する取付孔６３が握持部５３の長さ方向の中央に設けられている。そして、当該取付孔６３内に回動部材６５が配置され、当該回動部材６５に、合成樹脂で形成された吊下げ用のロープ（吊下げ紐）６７が接続されている。
【００２１】
図３に示すように回動部材６５は、抜止め部６９が一端側に形成された一本の丸環７１と、同じく抜止め部７３が一端側に形成された支持軸７５を、中空状の支持体７７に同軸上に回動可能に挿着した構造からなり、丸環７１に前記ロープ６７の一端側が留め具７９で止着されて取り付き、支持軸７５はグリップ部６１の底部に設けた係合孔８１内に係合する支持プレート８３に止着されている。
【００２２】
而して、斯様に回動部材６５を介してロープ６７をハンドル４７に接続することで、水面に浮かせた魚入れ２９に潮の流れが作用して収納部２１が回っても、これに応じ回動部材６５の丸環７１が回ってロープ６７や収納部２１の捩れが防止されることとなる。
そして、丸環７１に接続されたロープ６７の端部外周には、回動部材６５との接続部を覆う柔軟な筒状の樹脂製カバー体８５が取り付けられており、当該カバー体８５によって、魚入れ２９の引き上げ時に岩等と接触し易いハンドル４７近傍のロープ６７の保護が図られている。
【００２３】
尚、図３に示すように本実施形態は、カバー体８５をグリップ部６１から上方へ若干離間させているが、カバー体８５の下端側を取付孔６３内に挿通させて丸環７１を被覆してもよい。
また、上記回動部材６５に代え、ハンドルにロープの挿通孔を形成し、当該挿通孔を挿通させたロープの端部に結びコブを作ってロープをハンドルに回動可能に接続してもよい。
【００２４】
その他、図１に於て、８７はロープ６７を巻回する巻取り具である。
本実施形態に係る魚入れ（スカリ）２９はこのように構成されているから、防波堤等の足場の高い釣場で魚釣りを行う際に、図２の如く蓋本体４１をチャック３９で全閉し、そして、巻取り具８７に巻回したロープ６７を所定量繰り出した後、ロープ６７の巻取り具８７側を保持した状態で魚入れ２９を海に投げ入れれば、魚入れ２９は蓋本体４１を水面位置にして浮き、収納部２１が水中に没する。
【００２５】
このため、収納部２１内に予めエサの活きアジ等を収納しておけば、この活きエサを生かしておくことができ、また、釣り上げた魚を収納部２１内に収納した場合にも魚を生かしておくことができる。
そして、斯様に水面に浮かせた魚入れ２９に潮の流れが作用して収納部２１が回ると、これに応じ回動部材６５の丸環７１が回ってロープ６７や収納部２１の捩れを防止する。
【００２６】
また、釣り上げた魚を入れるため、ロープ６７を手繰り寄せて魚入れ２９（収納部２１）を水中から引き上げる場合、ロープ６７が握持部５３の長さ方向の中央に設けた取付孔６３内の回動部材６５に連結されているため、魚入れ２９がバランス良く引き上げられることとなる。
而も、ハンドル４７は合成樹脂を金型で形成して形状を維持する硬さをもって形成されると共に、収納部２１の外周方向に突出しない大きさとされているため、魚入れ２９を引き上げる際に、従来の紐に比し防波堤についた貝や岩場の岩等にハンドル４７が引っ掛かり難く、足場の高い釣場へスムーズに引き上げることができるし、上述したようにハンドル４７は形状を維持する硬さをもっているため、従来の紐に比べ、水分が付着し魚の入っている収納部２１の重みでハンドル４７自体が損傷することもない。
【００２７】
そして、回動部材６５が、ハンドル４７に設けた取付孔６３内に収容されているため、この回動部材６５が岩に引っ掛かったり岩と岩の隙間に挟まって引き上げに支障を来すこともない。
更にまた、カバー体８５が、魚入れ２９の引き上げ時に岩等と接触し易いハンドル４７近傍のロープ６７を保護する。
【００２８】
従って、本実施形態によれば、水流によるロープ６７や収納部２１の捩れがなく、また、魚入れ２９（収納部２１）を引き上げる際にも、回動部材６５やロープ６７等が損傷したり、回動部材６５やハンドル４７が防波堤についた貝や岩場の岩等に引っ掛かかることがなく、バランス良くスムーズに引き上げることが可能となった。
【図面の簡単な説明】
【００２９】
【図１】請求項１乃至請求項４の一実施形態に係る魚入れ（スカリ）の正面図である。
【図２】図１に示す魚入れの平面図である。
【図３】ロープとハンドルの接続部分の拡大断面図である。
【図４】従来の魚篭の正面図である。
【図５】図４に示す魚篭の使用状態の正面図である。
【符号の説明】
【００３０】
２１  収納部
２３  網状体
２９  魚入れ
３１  合成樹脂シート
３３  フレーム
３５  折返し片
３７  蓋体
３９  チャック
４１  蓋本体
４３  ヒンジ部材
４７  ハンドル
４９  ハンドル支持部
５１  止着体
５３  握持部
５５  杆部
５９  連結部
６１  グリップ部
６３  取付孔
６５  回動部材
６７  ロープ
６９，７３  抜止め部
７１  丸環
７５  支持軸
８１  係合孔
８３  支持プレート
８５  カバー体
８７  巻取り具
【図１】
2007195448.tif 000003
【図２】
2007195448.tif 000004
【図３】
2007195448.tif 000005
【図４】
2007195448.tif 000006
【図５】
2007195448.tif 000007